(57)【要約】【課題】  ペットの動きを規制して、他人に迷惑をかけないように散歩ができるようにする。【解決手段】  通常の散歩時は、同伴者２０は、散歩用具１０の持ち手１４に手を通し、持ち手１４を引くようにする。犬２２は、従来のリードと比較すれば動きの自由度は低下するものの、持ち手１４と棒１２との接合部分や連結具１６の部分が動くため、十分に同伴者２０の周りで動くことができる。  ここで、歩行者や自転車などが接近し、犬２２の動きを規制したいときは、同伴者２０は、散歩用具１０の棒１２を持つようにするとともに、必要があれば棒１２を歩行者などの妨げにならない方向に向ける。すると、犬２２の動きが制限されるとともに、犬の位置が歩行者等の進路から外れるようになり、歩行者等が犬２２の近くを通過しても交通の妨害など迷惑をかける恐れがない。【選択図】図１
0003105806.tif 000002
【実用新案登録請求の範囲】
【請求項１】
同伴者とペットを結ぶリードの同伴者側の一部もしくはリードの全部を、棒に置き換えたことを特徴とするペットの散歩用具。
【請求項２】
棒の一端に同伴者用の持ち手を設けるとともに、前記棒の他端にペットの首輪を着脱するための連結具を設けたことを特徴とするペットの散歩用具。
【請求項３】
同伴者とペットを結ぶリードの同伴者側の一部を棒に置き換えるとともに、前記リードのペット側の動きを規制する規制手段を、前記棒の長手方向にスライド可能に設けたことを特徴とするペットの散歩用具。
【請求項４】
前記棒が伸縮自在であることを特徴とする請求項１〜３のいずれかに記載のペットの散歩用具。
【考案の詳細な説明】
【技術分野】
【０００１】
本考案は、犬などのペットの散歩用具に関するものである。
【背景技術】
【０００２】
犬の散歩には、通常リード（引き綱）を犬の首輪に取り付けるのが一般的であり、各種のものが知られている。例えば、下記特許文献１には、ペットの散歩の際に両手が塞がれないようにしたペットの散歩用ベルトが開示されている。リードの素材としては、各種のものが知られているが、ナイロンテープ，合成皮革ベルト，チェーンなどが一般的である。これらの材料を使用することで、リードが曲折自在で柔軟性に富むようになり、ペットが動きやすいという利点がある。
【特許文献１】実用新案登録第３０９６８３３号公報
【考案の開示】
【考案が解決しようとする課題】
【０００３】
しかしながら、最近は、都会のマンションなどでペットを飼う人も多く、その散歩といっても、歩行者や自転車などが行き交う道路を利用するケースも少なくない。そのような場合、ペットが動き回ると、交通の妨げとなるなど他人に迷惑をかけるという不都合がある。
【０００４】
本考案は、以上の点に着目したもので、ペットの動きを規制して、他人に迷惑をかけないように散歩を行うことが出来るペットの散歩用具を提供することを、その目的とするものである。
【課題を解決するための手段】
【０００５】
前記目的を達成するため、本考案は、同伴者とペットを結ぶリードの同伴者側の一部もしくはリードの全部を、棒に置き換えたことを特徴とする。他の考案は、棒の一端に同伴者用の持ち手を設けるとともに、前記棒の他端にペットの首輪を着脱するための連結具を設けたことを特徴とする。更に他の考案は、同伴者とペットを結ぶリードの同伴者側の一部を棒に置き換えるとともに、前記リードのペット側の動きを規制する規制手段を、前記棒の長手方向にスライド可能に設けたことを特徴とする。主要な形態の一つは、前記棒が伸縮自在であることを特徴とする。本考案の前記及び他の目的，特徴，利点は、以下の詳細な説明及び添付図面から明瞭になろう。
【考案の効果】
【０００６】
本考案は、リードの同伴者側の少なくとも一部を棒としたので、ペットの動きが規制されるようになり、散歩時にペットが動き回って他人に迷惑をかけるなどの不都合を良好に低減することができる。
【考案を実施するための最良の形態】
【０００７】
以下、本考案を実施するための最良の形態を、実施例に基づいて詳細に説明する。
【実施例１】
【０００８】
最初に、図１を参照しながら本考案の実施例１を説明する。図１(A)は、実施例１の散歩用具を使用して散歩している様子を示しており、図１(B)は、実施例１の散歩用具を拡大して示している。これらの図において、散歩用具１０は、棒１２を中心に構成されている。棒１２の一端には、同伴者ないし飼い主２０が手で持つための輪状の持ち手１４が形成されている。一方、棒１２の他端には、連結具１６が取り付けられている。連結具１６は、棒１２の他端に設けられた固定金具１６Ａに、ナスカンあるいはカラビナなどの着脱金具１６Ｂを取り付けた構成となっている。一方、犬２２の首輪１８には、リード用の取付金具１８Ａが設けられており、これに前記着脱金具１６Ｂを連結することで、散歩用具１０を首輪１８に連結する構成となっている。
【０００９】
散歩用具１０の棒１２は、例えばアルミニウムなどによる中空パイプによって、軽量でありながら相当の強度があり、簡単には曲がらないように構成されている。なお、多少の撓りはあってもよく、金属の他に合成樹脂や竹・木材などを利用してもよい。持ち手１４は、ナイロンテープや合成皮革ベルトなどによって形成されている。連結具１６は、例えば金属によって形成されている。
【００１０】
次に、本実施例の作用を説明すると、通常の散歩時は、図１(A)に示すように、同伴者２０は、散歩用具１０の持ち手１４に手を通し、持ち手１４を引くようにする。犬２２は、従来のリードと比較すれば動きの自由度は低下するものの、持ち手１４と棒１２との接合部分や連結具１６の部分が動くため、十分に同伴者２０の周りで動くことができる。ここで、歩行者や自転車などが接近し、犬２２の動きを規制したいときは、同伴者２０は、散歩用具１０の棒１２を持つようにするとともに、必要があれば棒１２を歩行者などの妨げにならない方向に向ける。すると、犬２２の動きが制限されるとともに、犬の位置が歩行者等の進路から外れるようになり、歩行者等が犬２２の近くを通過しても交通の妨害など迷惑をかける恐れがない。なお、本実施例の変形例として、棒１２のペット側の一部を曲折自在のリードとしてもよい。後述する図２(B)のスライド部６２Ｂを除いた構成に相当する。
【実施例２】
【００１１】
次に、図２を参照しながら本考案の実施例２を説明する。なお、上述した実施例１と同一ないし対応する構成要素には同一の符号を用いることとする。まず、図２(A)に示す散歩用具５０は、棒５２が矢印ＦＡ方向に伸縮自在となっている例である。本例では、棒５２は、基部５２Ａに中間部５２Ｂが収納可能となっており、中間部５２Ｂに先端部５２Ｃが収納可能となっている。つまり、最も短い状態では、基部５２Ａ内に、中間部５２Ｂ及び先端部５２Ｃが収納される。このように、棒５２を伸縮自在とすることで、同伴者２０と犬２２との距離を自由に変更することができる。
【００１２】
次に、図２(B)に示す散歩用具６０は、棒６２の基部６２Ａが、スライド部６２Ｂの内側に収納される構成となっている。スライド部６２Ｂは、基部６２Ａに対してスライド可能となっている。基部６２Ａの一端には持ち手１４が設けられており、他端にはリード６２Ｃの一端が取り付けられている。そして、このリード６２Ｃの他端に着脱金具１６Ｂによって首輪１８が着脱自在に取り付けられている。通常は、図２(B)に示すように、スライド部６２Ｂを基部６２Ａに被せた位置で使用する。そして、犬２２の動きを規制したいときは、スライド部６２Ｂを犬２２の方向にスライドさせる。すると、スライド部６２Ｂの先端は、矢印ＦＢで示す位置となり、リード６２Ｃの曲折が制限されるようになる。これにより、犬２２の動きを規制することができる。本例によれば、必要な場合にのみ犬２２の動きを規制することができる。
【００１３】
なお、本考案は、上述した実施例に限定されるものではなく、本考案の要旨を逸脱しない範囲内において種々変更を加え得ることができる。例えば、以下のものも含まれる。
(1)棒に、反射板を設けたり、反射塗料を塗布することで、自動車のヘッドライトを反射するようにすれば、夜間の散歩時における車両からの視認性が向上し、安全性の向上を図ることができる。
(2)棒の長さや、伸縮の程度は、必要に応じて適宜設定してよい。例えば、図２(A)の実施例では５２Ａ〜５２Ｃの３段の伸縮構造としたが、２段あるいは４段以上の伸縮構造としてもよい。
(3)図２(B)の実施例では、スライド部６２Ｂを筒状としたが、同図(C)に示す散歩用具７０のように、リード６２Ｃが貫通する規制リング７２Ａを、支持部７２Ｂによって基部６２Ａの長手方向にスライド可能に設けるようにしてもよい。
(4)前記実施例に示した形状，寸法，材料などは一例であり、同様の作用を奏するように適宜変更してよい。前記実施例を組み合わせるようにしてもよい。また、前記実施例は、いずれも犬の場合を説明したが、他のペットに使用することを妨げるものではない。
【産業上の利用可能性】
【００１４】
本考案によれば、ペットの動きを簡単に規制できるので、ペットの散歩用具として好適である。
【図面の簡単な説明】
【００１５】
【図１】(A)は本考案の実施例１の使用状態を示す図，(B)は主要部を拡大して示す図である。
【図２】(A)は実施例２の主要部を示す図，(B)は実施例２の他の構成を示す図，(C)は(B)の他の構成を示す図である。
【符号の説明】
【００１６】
１０：散歩用具
１２：棒
１４：手
１６：連結具
１６Ａ：固定金具
１６Ｂ：着脱金具
１８：首輪
１８Ａ：取付金具
２０：同伴者
２２：犬
５０：散歩用具
５２：棒
５２Ａ：基部
５２Ｂ：中間部
５２Ｃ：先端部
６０：散歩用具
６２：棒
６２Ａ：基部
６２Ｂ：スライド部
６２Ｃ：リード
７０：散歩用具
７２Ａ：規制リング
７２Ｂ：支持部
【図１】
0003105806.tif 000003
【図２】
0003105806.tif 000004